(57)【要約】【課題】手動でありながら、操作しやすく、また従来に比べ被細断物の細断枚数の向上を期待できるシュレッダーを提供する。【解決手段】本発明に係るシュレッダー、被細断物の投入口が形成されたシュレッダー本体と、シュレッダー本体内に配置され、投入された被細断物を細断するカッターユニットと、水平方向に軸線が延びる回転力付与軸と、回転力付与軸に取り付けられ、当該回転力付与軸を揺動中心として上下方向に揺動可能なレバーと、レバーの上方から下方の揺動、及び下方から上方の揺動のいずれか一方の揺動による回転力付与軸の回転力によって、カッターユニットを駆動する動力伝達機構と、を備えている。【選択図】  図３
2009178701.tif 000002
【特許請求の範囲】
【請求項１】
被細断物の投入口が形成されたシュレッダー本体と、
前記シュレッダー本体内に配置され、投入された被細断物を細断するカッターユニットと、
水平方向に軸線が延びる回転力付与軸と、
前記回転力付与軸に取り付けられ、当該回転力付与軸を揺動中心として上下方向に揺動可能なレバーと、
前記回転力付与軸とレバーとの間に設けられ、前記レバーによる一方向の揺動を前記回転力付与軸に伝達する一方、他方向の揺動を前記回転力付与軸に伝達しない回転制御部材と、を備え、
前記レバーの上方から下方の揺動、及び下方から上方の揺動のいずれか一方の揺動による前記回転力付与軸の回転力によって、前記カッターユニットが駆動する、シュレッダー。
【請求項２】
前記回転制御部材は、前記回転力付与軸に対し、第１又は第２の取付態様に選択的に取付可能となっており、
前記第１の取付態様においては、前記レバーによる一方向の揺動を前記回転力付与軸に伝達する一方、他方向の揺動を前記回転力付与軸に伝達せず、
前記第２の取付態様においては、前記レバーによる前記他方向の揺動を前記回転力付与軸に伝達する一方、前記一方向の揺動を前記回転力付与軸に伝達しない、請求項１に記載のシュレッダー。
【請求項３】
前記シュレッダー本体の底部には、前記回転力付与軸に対して前記レバーが延びる側に、当該シュレッダー本体を支持するように延びる支持脚が設けられている、請求項１または２に記載のシュレッダー。
【発明の詳細な説明】
【技術分野】
【０００１】
本発明は、紙などの被細断物を手動で細断するシュレッダーに関する。
【背景技術】
【０００２】
近年、個人情報保護の観点から、シュレッダーは広く普及し、業務用のみならず、家庭においても広く普及している。そのようなシュレッダーとしては、例えば特許文献１に示すようなものがある。このシュレッダーは、電動のカッターではなく、手動のカッターを備えている。すなわち、シュレッダー本体の側面に、３６０度回転可能なハンドルが取り付けられており、このハンドルを回転させることで、内蔵されたカッターを回転させ、被細断物の細断を行う。
【特許文献１】登録実用新案第３０７３７５３号公報
【発明の開示】
【発明が解決しようとする課題】
【０００３】
しかしながら、上記シュレッダーは、裁断時にハンドルを３６０度回転させなければならないため、ハンドルに作用する力も３６０度変化する。すなわち、シュレッダー本体に上下前後方向の力が作用し、力の方向が常時変化する。そのため、前後方向の力を作用させるときにはシュレッダーが前後方向へ倒れやすくなり、上方向の力を作用させるときにはシュレッダー本体が持ち上がる。したがって、シュレッダー本体を手で押さえるなどして固定しなければならない。また、ハンドル回転時には、下向き以外の力を入れにくいという問題もある。さらに、ハンドルを３６０度回転させるため、ハンドルの長さが制限されるが、短すぎるとカッターを回転させるトルクが小さくなるため、裁断できる被細断物の枚数が少ないという問題もある。このとき、トルクを上げるために、歯車を用いてハンドルの回転を減速することも考えられるが、歯車を用いることでコストが高くなるという問題がある。
【０００４】
本発明は、上記問題を解決するためになされたものであり、手動でありながら、操作しやすく、また従来に比べ被細断物の細断枚数の向上を期待できるシュレッダーを提供することを目的とする。
【課題を解決するための手段】
【０００５】
本発明に係るシュレッダーは、上記問題を解決するためになされたものであり、被細断物の投入口が形成されたシュレッダー本体と、前記シュレッダー本体内に配置され、投入された被細断物を細断するカッターユニットと、水平方向に軸線が延びる回転力付与軸と、前記回転力付与軸に取り付けられ、当該回転力付与軸を揺動中心として上下方向に揺動可能なレバーと、前記回転力付与軸とレバーとの間に設けられ、前記レバーによる一方向の揺動を前記回転力付与軸に伝達する一方、他方向の揺動を前記回転力付与軸に伝達しない回転制御部材を備え、前記レバーの上方から下方の揺動、及び下方から上方の揺動のいずれか一方の揺動による前記回転力付与軸の回転力によって、前記カッターユニットを駆動する。
【０００６】
この構成によれば、レバーの上方から下方の揺動、及び下方から上方の揺動のいずれか一方の揺動によって回転力付与軸を回転させることで、カッターユニットが駆動するようになっている。より詳細には、回転力付与軸とレバーとの間に回転制御部材を設けているため、レバーによる一方向の揺動を回転力付与軸に伝達する一方、他方向の揺動を前記回転力付与軸に伝達しないようにすることができる。これにより、例えば、レバーを下向きに揺動したときにカッターユニットを駆動させ、上向きに揺動したときにはカッターユニットが駆動しないようにすることができるため、レバーの上下動により、被細断物の細断を行うことができる。
【０００７】
したがって、従来例のように、ハンドルを３６０度回転させることなく、レバーの上下方向の揺動だけでカッターを駆動することができるため、レバーに対して力を作用させ易く操作性を向上することができる。また、被細断物の細断枚数の向上を期待できる。つまり、レバーを３６０度回転させる必要がないため、レバーを長くすることができ、これによって、小さい力で高いトルクを発生させることができる。その結果、多数の被細断物を細断することができる。したがって、歯車を減速手段として追加する必要がないため、コストを低減できるという利点もある。
【０００８】
このとき、回転制御部材を、回転力付与軸に対し、第１又は第２の取付態様に選択的に取り付けるようにすることができる。第１の取付態様においては、レバーによる一方向の揺動を前記回転力付与軸に伝達する一方、他方向の揺動を前記回転力付与軸に伝達せず、第２の取付態様においては、レバーによる他方向の揺動を回転力付与軸に伝達する一方、前記一方向の揺動を前記回転力付与軸に伝達しないようにすることができる。このようにすると、第１又は第２の取付態様のいずれか一方では、被細断物の細断を行うことができ、他方の取付態様では、カッターユニットを逆転することができる。したがって、カッターユニットの逆転により、カッターユニットに詰まった被細断物を取り出すことができる。
【０００９】
上記各シュレッダーにおいては、シュレッダー本体の底部における、回転力付与軸に対してレバーが延びる側に、当該シュレッダー本体を支持するように延びる支持脚を設けることが好ましい。こうすることで、シュレッダー本体の転倒を防止することができる。
【発明の効果】
【００１０】
本発明に係るシュレッダーによれば、手動でありながら、操作しやすく、また従来例に比べ被細断物の細断枚数の向上を期待できる。
【発明を実施するための最良の形態】
【００１１】
以下、本発明に係るシュレッダーの一実施形態について図面を参照しつつ説明する。図１は本実施形態に係るシュレッダーの正面図、図２は側面図である。
【００１２】
図１及び図２に示すように、本実施形態に係るシュレッダーは、直方体状のシュレッダー本体１の側面に、揺動可能なレバー２が設けられており、このレバー２を手動で揺動させることで、紙などの被細断物の細断が行われる。シュレッダー本体１の上面には紙を投入する投入口１１が形成されており、その直下に、カッターユニット３が内蔵されている（図３参照）。そして、カッターユニット３の下方には、細断された紙くずを収納する収納箱１２が内蔵されている。
【００１３】
図３は、シュレッダー本体１に内蔵されているカッターユニット３、レバー２からの回転力を伝達する動力伝達機構を示す平面図である。図３に示すように、カッターユニット３は、一対の回転カッター３１、３２が水平方向に平行に配置されることで構成されている。ここでは、図３の下側に配置されているものを第１回転カッター３１、上側に記載されているものを第２回転カッター３２と称することとする。各回転カッター３１，３２は、水平に延びる軸体３１１，３２１と、その外周面に所定間隔をおいて固着された複数の環状の回転刃３１２、３２２とで構成されている。そして、第１回転カッター３１における回転刃３２２の隙間に、第２回転カッター３２の回転刃３１２が挿入されて、両回転カッター３１，３２の回転刃３１２，３２２が噛み合わされている。また、各回転カッター３１、３２の軸体３１１，３１２の端部には、第１及び第２歯車４１，４２がそれぞれ固着されている。そして、これらの歯車４１，４２は噛合しており、後述するように、第２回転カッター３２が回転駆動すると、これに伴って第１回転カッター３１が回転するようになっている。
【００１４】
第２回転カッター３２の軸体３２１の端部には、レバー２が取り付けられる取付軸（回転力付与軸）５が連結されており、シュレッダー本体１の側面から突出している。そして、この取付軸５には、円筒状のレバーボス２１が着脱自在に取り付けられており、レバーボス２１の外周面に径方向に延びるレバー２が取り付けられている。レバーボス２１は、円筒状の基部２１１と、その内部に固定される公知の円筒状のワンウェイクラッチ（回転制御部材）２１２とで構成されており、ワンウェイクラッチ２１２が、取付軸５に着脱自在に固定される。また、ワンウェイクラッチ２１２は、軸方向の一方の端部をカッターユニット３側に向けて取り付けられるが、他方の端部をカッターユニット３側に向けて取り付けることもできる。このように、取付方向を変更することで、取付軸５、回転カッター３１，３２に対して異なる方向の回転を付与することができる。ここでは、紙を細断する方向に回転カッター３１，３２を回転させる取付態様を第１取付態様と称し、これとは反対に回転カッター３１，３２を回転させる取付態様を第２取付態様と称することとする。
【００１５】
次に、上記のように構成されたシュレッダーの動作について図４も参照しつつ説明する。図４は回転カッターの動作を示す側面図である。ここでは、ワンウェイクラッチ２１２を第１取付態様で取付軸５に固定しておく。そして、シュレッダー本体１正面の投入口１１から紙を投入した上で、図２に示すように、レバー２を上方から下方に向けて揺動させると、ワンウェイクラッチ２１２により、レバー２の揺動が取付軸５に伝達されて回転する。この回転により第２回転カッター３２が回転するとともに、両歯車４１，４２を介して第１回転カッター３１が回転し、図４（ａ）に示すように、両回転カッター３１，３２の間に紙を巻き込みながら、細断していく。一方、レバー２を下方から上方に揺動させたときは、ワンウェイクラッチ２１２が空転し、レバー２の回転が取付軸５に伝達されない。こうして、レバー２を上下に揺動させ続けると、レバー２が上方から下方に揺動されたときのみカッターユニット３が駆動し、紙が細断されていく。細断された紙くずは、その下方に配置された収納箱１２に回収される。
【００１６】
また、カッターユニット３に紙が詰まったときには、レバーボス２１を取付軸５から取り外し、ワンウェイクラッチ２１２を反対に向けて第２取付態様にし、取付軸５に固定する。この状態で、レバー２を下方から上方に揺動させると、レバー２の回転力が取付軸５に付与され、第１取付態様とは反対に取付軸５が回転される。これにより、図４（ｂ）に示すように、回転カッター３１，３２は、反対側に回転する。すなわち、両回転カッター３１，３２が互いに離れる方向に回転し、紙が投入口１２側へ押し出される。一方、レバー２を上方から下方へ揺動させた場合には、ワンウェイクラッチ２１２が空転し、取付軸５は回転されない。したがって、レバー２を上下動させることで、両回転カッター３１，３２が回転し続け、カッターに詰まった紙を取り出すことができる。
【００１７】
以上のように、本実施形態によれば、レバー２の上方から下方の揺動によって取付軸５を回転させることで、カッターユニット３が駆動するようになっている。そのため、従来例のように、ハンドルを３６０度回転させることなく、カッターユニット３を駆動することができる。すなわち、レバー２の上下方向の揺動だけでカッターユニット３を駆動することができるため、レバー２に対して力を作用させ易く操作性を向上することができる。また、紙の細断枚数の向上も期待できる。すなわち、レバー２を３６０度回転させる必要がないため、レバー２を長くすることができ、これによって、小さい力で高いトルクを発生させることができる。その結果、多数の紙を細断することができる。なお、第１歯車４１の大きさを第２歯車４２よりも大きくすることで、レバー２を操作する力を軽くすることができる。
【００１８】
以上、本発明の一実施形態について説明したが、本発明は、これに限定されるものではなく、その趣旨を逸脱しない限りにおいて種々の変更が可能となる。例えば、上記実施形態では、本発明の回転制御部材として、ワンウェイクラッチを用いているが、これに限定されるものではない。すなわち、レバー２による一方向の揺動を取付軸５に伝達する一方、他方向の揺動を取付軸５に伝達しないような部材であれば、特には限定されない。例えば、図５に示すように、ラチェット１０１と、これに係合するラチェット爪１０２を用いることができる。この例では、取付軸５にラチェット１０１を取り付け、レバーボス２１にラチェット爪１０２を取り付けることで、レバー２からの回転力の伝達を制御することができる。
【００１９】
また、レバー２の位置は、特には限定されず、上記実施形態のように、シュレッダー本体１の側面以外に、例えば、図６に示すように、第２回転カッター３２の軸体３２１と取付軸５とを一対の傘歯車１０３を介して連結すれば、取付軸５がシュレッダー本体１の前面から突出するようにすることもできる。これにより、レバー２は、シュレッダー本体１の前面と平行に上下に揺動させることができる。
【００２０】
また、レバー２を上下動させたときには、シュレッダー本体１に対し、レバー２が上方から下方へ傾く方向に力が作用するので、例えば、図１及び図２のように、シュレッダー本体１の底部に傾きを防止する複数の支持脚１５を設けることが好ましい。この支持脚１５は、シュレッダー本体１の底面から前面側へ延びており、シュレッダー本体１が前面側に傾くのを防止することができる。なお、支持脚１５の形状、数は特には限定されず、シュレッダー本体１前面の全幅にわたって設けてもよいし、複数の棒状の支持脚を設けてもよい。
【図面の簡単な説明】
【００２１】
【図１】本発明の第１実施形態に係るシュレッダーの正面図
【図２】図１の側面図である。
【図３】シュレッダー本体１に内蔵されているカッターユニット、レバーからの回転力を伝達する動力伝達機構を示す平面図である。
【図４】回転カッターの動作を示す側面図である。
【図５】本発明の他の例を示す側面図である。
【図６】本発明の他の例を示す平面断面図である。
【符号の説明】
【００２２】
１  シュレッダー本体
２  レバー
２１２  ワンウェイクラッチ（回転制御部材）
３  カッターユニット
５  取付軸（回転力付与軸）
【図１】
2009178701.tif 000003
【図２】
2009178701.tif 000004
【図３】
2009178701.tif 000005
【図４】
2009178701.tif 000006
【図５】
2009178701.tif 000007
【図６】
2009178701.tif 000008